(57)【要約】      （修正有）【課題】熱い土鍋を掴んで運ぶ時、手袋状の物を手にはめる事のわずらわしさと、時間を短縮する。【解決手段】つかみ布３に付属している、取っ手４を外側に広げ、土鍋の持ち手８に、フック６を掛けると、アーチ型のバネにより、つかみ布がしっかりと固定され、熱い土鍋を簡単に持つことができる。【選択図】図１
0003117558.tif 000002
【実用新案登録請求の範囲】
【請求項１】
アーチ型のバネの先端を、４５度の角度をつけたＬ字型にする。Ｌ字型の水平部分に、取り付け金具、取っ手、フック、四角い厚手の布、が一体となっている土鍋をつかむ部分を、取り付け金具で取り付ける。又、布の表側に、器具全体を持つ、取っ手、裏側には、土鍋のもち手の部分に、引っ掛けるフックが、ついている土鍋つかみである。
【考案の詳細な説明】
【技術分野】
【０００１】  本考案は、土鍋等を、掴んで移動する、土鍋つかみ器具に関する。
【背景技術】
【０００２】  従来の土鍋つかみは、手袋状の物を、左右の手に、はめていた。
【考案の開示】
【考案が解決しようとする課題】
【０００３】  しかし、この方法では、作業を一時止め，手に装着し、その後、土鍋を掴むことになり、時間も要し不便である。
【課題を解決するための手段】
【０００４】  そこで、つかみ布に付属している、取っ手を持ち外側に広げて、土鍋の持ち手の部分に、つかみ布の裏にあるフックを掛けるだけで、アーチ型のバネの力により、つかみ布がしっかりと固定され、土鍋を安全に掴み移動出来る器具を、考案した。これにより、土鍋を簡単に掴む事ができる。
【考案の効果】
【０００５】  よって、本考案の器具を使用する事により、熱くなった土鍋を移動する時、手に物をはめる必要がないので、迅速、安全に移動でき時間短縮と、わずらしさから開放される。又、布が破損及び汚れた場合、取り付け金具を外し、新しい物と交換すればよい。
【考案を実施するための最良の形態】
【０００６】  本考案に係る土鍋つかみは、図１に示す様に、アーチ型のバネと、取り付け金具のついた、つかみ布で構成されている。バネの部分は安価にする為、耐熱性のプラスチック製等でも良いが、ステンレス製にした方が、耐久性に優れ長期に使用でき最良である。又、一体化している取り付け金具取っ手、フック共に、耐久性のプラスチック等でも良いが、軽量のアルミ製の方が最良である。布と取り付け金具の接合は、金具に縫い付けても、接着剤でもよい。
【図面の簡単な説明】
【０００７】
【図１】  本考案に係る土鍋つかみを、実際に使用した状態の、側面図である。
【図２】  土鍋を掴む、つかみ布の表の正面図である。
【図３】  土鍋を掴む、つかみ布の裏の正面図である。
【符号の説明】
【０００８】  １      土鍋
２      アーチ型のバネ
３      つかみ布
４      取っ手
５      ４５度のＬ字
６      フック
７      取り付け金具
８      土鍋の持ち手
【図１】
0003117558.tif 000003
【図２】
0003117558.tif 000004
【図３】
0003117558.tif 000005
【手続補正書】
【提出日】平成17年6月28日(2005.6.28)
【手続補正１】
【補正対象書類名】実用新案登録請求の範囲
【補正対象項目名】全文
【補正方法】変更
【補正の内容】
【実用新案登録請求の範囲】
【請求項１】
アーチ型のバネと、土鍋を掴む器具１対で構成した物で、バネは、土鍋を掴む器具を土鍋に固定するため、器具は土鍋を持つ為のもので、アーチ型のバネの両端の先を、４５度程度の角度のＬ字形にし、それをアーチバネに対して９０度回転させた容にして、そのＬ字形の水平部分に、バネを広げる取っ手と、バネのＬ字部分に取り付ける金具、土鍋の耳の部分に引っ掛けるフックと、土鍋をつかむ為の厚手の四角形の布とが一体化した器具一対を、フックが向かい合う様に、バネの両端の先に取り付け金具で、ぶら下げる様に取り付けたもので、一体化した器具の部分の構造は、、幅１０ｍｍ長さ１１０ｍｍ位の金属又はプラスチックの板で、その板の長い部分の先端は、末端から１５ｍｍの所から両側を外側に曲げてあり、その部分にバネを広げる為の取っ手を、取り付ける為の穴が左右にあいている、取っ手は直径８５ｍｍの楕円形で先端が、穴に入る様に内側に曲げてある仕組みで、取っ手と称する１対の部分で、又、長い板の上部には、中心より２５ｍｍのところより左右に幅５ｍｍ長さ２０ｍｍの板が幅より突き出た様に上方に２本付いていてその先端がバネのＬ字の形態に合う様に丸めてあり、取り付け金具と称する１対の部分で、又、長い板の下部には中心より、１７ｍｍの所より左右に、幅６ｍｍ長さ２０ｍｍの板が幅より突き出た様に下方に２本付いていて、長さ２０ｍｍの部分でフックが内側に向く様に作ってあり、フックと称する１対の部分であり、又、土鍋をつかむ四角の厚手の１対の布は、たて横９０ｍｍで、フックと、取っての穴の、中間に挟まれる様に付いていて、長い板の上部より５ｍｍ出た位置に固定してある土鍋つかみ。
【手続補正２】
【補正対象書類名】明細書
【補正対象項目名】０００４
【補正方法】変更
【補正の内容】
【０００４】    そこで、アーチ型のバネと、土鍋を掴む器具１対で構成した物で、バネは、土鍋を掴む器具を土鍋に固定するため、器具は、土鍋を持つ為のもので、アーチ型のバネの両端の先を、４５度程度の角度のＬ字形にし、それをアーチバネに対して９０度回転させた容にして、そのＬ字形の水平部分に、バネを広げる取っ手と、バネのＬ字部分に取り付ける金具、土鍋の耳の部分に引っ掛けるフックと、土鍋をつかむ為の厚手の四角形の布とが一体化した器具一対を、フックが向かい合う様に、バネの両端の先に取り付け金具で、ぶら下がる様に取り付けたもので、一体化した器具の部分の構造は、幅１０ｍｍ長さ１１０ｍｍ位の金属又はプラスチックの板で、その板の長い部分の先端は、末端から１５ｍｍの所から両側を外側に曲げてあり、その部分にバネを広げる為の取っ手を、取り付ける為の穴が左右にあいている、取っては直径８５ｍｍの楕円形で先端が、穴に入る様に内側に曲げてある仕組みで、取ってと称する１対の部分で、又、長い板の上部には、中心より２５ｍｍのところより左右に幅５ｍｍ長さ２０ｍｍの板が幅より突き出た様に上方に２本付いていてその先端がバネのＬ字の形態に合う様に丸めてあり、取り付け金具と称する１対の部分で、又、長い板の下部には中心より、１７ｍｍの所より左右に、幅６ｍｍ長さ２０ｍｍの板が幅より突き出た様に下方に２本付いていて、長さ２０ｍｍの部分でフックが内側に向く様に作ってあり、フックと称する１対の部分であり、又、土鍋をつかむ四角の厚手の１対の布は、たて横９０ｍｍで、フックと、取っ手の穴の、中間に挟まれる様についていて、長い板の上部より５ｍｍでた位置に固定してある土鍋つかみ。
【手続補正３】
【補正対象書類名】明細書
【補正対象項目名】０００６
【補正方法】変更
【補正の内容】
【０００６】    本考案に係る土鍋つかみ９は、図１に示す様に、アーチ型のバネ２の、先端のＬ字形５に、取り付け金具７を含む、取っ手４と、土鍋の持ち手部分８に引っ掛けるフック６と、熱くなっている土鍋１持つ時に使うつかみ布３、等が一体化した器具を取り付けぶら下げる事で、左右の取っ手４でバネ２を左右に広げ、フック６の左右を、土鍋の左右の持ち手部分８に引っ掛けることが出来、つかみ布３が、自動的に土鍋の持ち手部分８に、覆う様にセットされ、簡単に熱い土鍋を持つ事ができ、又、セット後取っ手４から手を離しても、アーチバネ２の戻る力で、フック６が外れる事はなく、つかみ布３は、安全に固定は継続され、又、土鍋のふたを外した状態でも、つかみ布３は、フック６により固定されるので、持ち手８より土鍋の内側にくることはなく、土鍋の中の料理に影響を与えることはない。
【手続補正４】
【補正対象書類名】明細書
【補正対象項目名】０００７
【補正方法】追加
【補正の内容】
【０００７】
【図１】本考案に係る土鍋つかみを、実際に使用した状態の側面図である。
【図２】土鍋を掴む、つかみ布、フック、取り付け金具の表の正面図でる。
【図３】土鍋を掴む、つかみ布、フック、取り付け金具の裏の正面図でる。
【図４】本考案の、土鍋つかみの斜視図である。
【手続補正５】
【補正対象書類名】明細書
【補正対象項目名】０００８
【補正方法】追加
【補正の内容】
【０００８】１      土鍋
２      アーチ型のバネ
３      つかみ布
４      取っ手
５      ４５度程度のＬ字
６      フック
７      取り付け金具
８      土鍋の持ち手
９      土鍋つかみ
【手続補正６】
【補正対象書類名】図面
【補正対象項目名】全図
【補正方法】変更
【補正の内容】
【図１】
0003117558.tif 000006
【図２】
0003117558.tif 000007
【図３】
0003117558.tif 000008
【図４】
0003117558.tif 000009